(57)【要約】【課題】  互いに隣り合う壁パネルの間に形成される目地を閉塞する壁目地の防水構造であって、各部位の機能に応じて容易に材質の変更が可能であるとともに、製造コストを抑制することができる構造を提供する。【解決手段】  壁目地の防水構造１は、互いに隣接する壁パネル２の間に形成された目地３を閉塞する構造であって、目地の幅Ｗ１よりも幅広に形成されて隣接する壁パネル２の化粧面２１に跨る蓋部４ａを有し、目地３の長手方向へ延びる１次止水材４と、蓋部４ａの壁内側の面から壁内方向へ延びる第１突出部４ｂに嵌合し、幅方向の両端部にヒレ状のヒレ部５ａを形成して目地３の内部に圧入される目地３の長手方向へ延びる２次止水材５と、ヒレ部５ａの基端から壁内方向へ延びる第２突出部５ｂに外嵌する一対の嵌着部６ａと、壁パネル２の小口面２ａに弾性的に係止する一対の係止部６ｂとを有する保持クリップ６と、を備える。【選択図】図１
2019082088.tif 000002
【特許請求の範囲】
【請求項１】
互いに隣接する壁パネルの間に形成された目地を閉塞する壁目地の防水構造であって、
前記目地の幅よりも幅広に形成されて前記隣接する壁パネルの化粧面に跨る蓋部を有し、前記目地の長手方向へ延びる１次止水材と、
前記蓋部の壁内側の面から壁内方向へ延びる第１突出部に嵌合し、幅方向の両端部にヒレ状のヒレ部を形成して前記目地の内部に圧入され、前記目地の長手方向へ延びる２次止水材と、
前記ヒレ部の基端から壁内方向へ延びる第２突出部に外嵌する一対の嵌着部と、前記壁パネルの小口面に弾性的に係止する一対の係止部とを有する保持クリップと、を備えることを特徴とする壁目地の防水構造。
【請求項２】
前記第１突出部は、前記目地の幅方向の両側面に一対の第１突起を少なくとも１以上形成し、
前記第２突出部は、前記蓋部側の面から壁内方向へ延びるとともに内側面から突出して互いに対向する一対の第２突起を設けた溝を形成しており、
前記一対の第２突起の先端同士の距離は、前記一対の第１突起の先端同士の距離以下であることを特徴とする請求項１に記載の壁目地の防水構造。
【請求項３】
前記一対の嵌着部は、前記蓋部の方向へ延びて略平行に対向する一対の板片と、前記一対の板片の互いに対向する面から壁内方向へ斜めに突設する一対の返し片と、を形成し、
前記第２突出部は、前記目地の幅方向の両側面に一対の窪みを形成しており、
前記一対の返し片の先端同士の距離は、前記第２突出部の前記窪みの位置の幅と略同一に形成されることを特徴とする請求項１又は請求項２に記載の壁目地の防水構造。
【請求項４】
前記第２突出部は、前記ヒレ部よりも高い剛性を有することを特徴とする請求項１から請求項３のいずれかに記載の壁目地の防水構造。
【請求項５】
前記蓋部は、幅方向の両端部を壁内方向へ向けて斜めに屈曲し、
前記ヒレ部は、先端部を壁内方向へ向けて斜めに屈曲することを特徴とする請求項１から請求項４のいずれかに記載の壁目地の防水構造。
【発明の詳細な説明】
【技術分野】
【０００１】
この発明は、互いに隣り合う壁パネルの間に形成された目地を閉塞する壁目地の防水構造に関する。
【背景技術】
【０００２】
従来、下記特許文献１に開示されるように、互いに隣り合う外壁パネルの間に形成された目地を閉塞する乾式の目地構造が知られている。この発明は、隣接する外壁パネルに跨って目地を閉塞する目地蓋部と、目地蓋部の内側面中央から突設する挿入部と、挿入部の左右に突設されて壁パネルの小口面に当接するヒレ部と、を一体に形成した目地材を、屋外側から目地に圧入することで目地内部に水が浸入することを防止できる。また、目地材は、目地材の屋内側に配置され、挿入部に外嵌するとともに外壁パネルの屋内側の端縁に係止する目地材保持具によって外壁からの脱落を防止している。
【０００３】
また、特許文献２に記載されている防水構造は、屋外に面する蓋部と外壁パネルの小口面に圧接する襞とを有した一次シール部材と、一次シール部材の屋内側に形成される第２突起に嵌着するクリップ部材と、クリップ部材に外嵌し、外壁パネルの屋内側の端縁に圧接する二次防水部材と、を備えており、各部材は別体で構成されている。弾性樹脂で形成される一次シール部材及び二次防水部材は、クリップ部材を介して互いに嵌着することにより一体として使用することができ、一体化されたこれらの部材を目地に圧入することで目地内部への水の浸入を防止することができる。
【先行技術文献】
【特許文献】
【０００４】
【特許文献１】特開２００７−９６２０
【特許文献２】特開２０１１−１５７７０７
【発明の概要】
【発明が解決しようとする課題】
【０００５】
しかしながら、特許文献１に記載の目地材は、目地蓋部、挿入部、及びヒレ部が一体成形されているので、複雑な形状を製造するために大掛かりな製造設備が必要となり、ある程度の出荷数量を保持しなければ設備維持費用が増大するという問題点が挙げられる。さらに、それぞれの部位に期待される機能に応じて材質を変更することが難しく、また、部位ごとに材質を変更できたとしても、廃棄時に各材質ごとに分別することができず、部材の再資源化を行うことができない。
【０００６】
また、特許文献２の目地構造では、一次シール部材と二次防水部材とが別体で形成されるものの、やはり一次シール部材の蓋部と襞とを一体成形しているため各部位の機能に応じて材質を変えることが容易ではない。また、クリップ部材は、一次シール部材と二次防水部材とを連結するためだけのものであるため、弾性樹脂で形成された一次シール部材及び二次防水部材が経年劣化によって痩せた場合、両部材が縦目地から脱落する虞がある。
【０００７】
そこで、本発明は、上述した課題を鑑みてなされたものであり、互いに隣り合う壁パネルの間に形成される目地を閉塞する壁目地の防水構造であって、各部位の機能に応じて容易に材質の変更が可能であるとともに、製造コストを抑制することができる構造を提供することを目的とする。
【課題を解決するための手段】
【０００８】
本発明の第１の壁目地の防水構造は、互いに隣接する壁パネルの間に形成された目地を閉塞する壁目地の防水構造であって、前記目地の幅よりも幅広に形成されて前記隣接する壁パネルの化粧面に跨る蓋部を有し、前記目地の長手方向へ延びる１次止水材と、前記蓋部の壁内側の面から壁内方向へ延びる第１突出部に嵌合し、幅方向の両端部にヒレ状のヒレ部を形成して前記目地の内部に圧入される前記目地の長手方向へ延びる２次止水材と、前記ヒレ部の基端から壁内方向へ延びる第２突出部に外嵌する一対の嵌着部と、前記壁パネルの小口面に弾性的に係止する一対の係止部とを有する保持クリップと、を備えることを特徴としている。
【０００９】
本発明の第２の壁目地の防水構造は、前記第１突出部は、前記目地の幅方向の両側面に一対の第１突起を少なくとも１以上形成し、前記第２突出部は、前記蓋部側の面から壁内方向へ延びるとともに内側面から突出して互いに対向する一対の第２突起を設けた溝を形成しており、前記一対の第２突起の先端同士の距離は、前記一対の第１突起の先端同士の距離以下であることを特徴としている。
【００１０】
本発明の第３の壁目地の防水構造は、前記一対の嵌着部は、前記蓋部の方向へ延びて略平行に対向する一対の板片と、前記一対の板片の互いに対向する面から壁内方向へ斜めに突設する一対の返し片と、を形成し、前記第２突出部は、前記目地の幅方向の両側面に一対の窪みを形成しており、前記一対の返し片の先端同士の距離は、前記第２突出部の前記窪みの位置の幅と略同一に形成されることを特徴としている。
【００１１】
本発明の第４の壁目地の防水構造は、前記第２突出部が、前記ヒレ部よりも高い剛性を有することを特徴としている。
【００１２】
本発明の第５の壁目地の防水構造は、前記蓋部は、幅方向の両端部を壁内方向へ向けて斜めに屈曲し、前記ヒレ部は、先端部を壁内方向へ向けて斜めに屈曲することを特徴としている。
【発明の効果】
【００１３】
本発明の第１の壁目地の防水構造によると、１次止水材及び２次止水材は、別体で形成されるので各止水材を従来よりも単純な材質や形状で製作することができ、製造コストを抑制することができる。また、各止水材は、異なる材質とすることができるので、それぞれの止水材の材質を、設置される部位を考慮した略同様の耐久年数となる材質にすることにより、メンテナンス時期を一致させた合理的な防水構造を構築することができる。また、保持クリップが２次止水材に外嵌することにより、保持クリップが２次止水材の第２突出部を押圧するため、１次止水材と２次止水材との固定強度を向上させることができる。したがって、各止水材同士の嵌合部分の強度を低く抑えることができ、各止水材同士の組み立て作業を容易に行うことができるとともに１次止水材に嵌合する２次止水材の材質の選択肢を広げることができる。
【００１４】
本発明の第２の壁目地の防水構造によると、第２突出部の一対の第２突起の先端同士の距離は、第１突出部の第１突起の先端同士の距離以下であるため、第２突出部の溝に第１突出部を押し込み嵌め合わせると、第２突起が抜け止めとなって第１突出部が溝から抜けることを防止できる。したがって、１次止水材を２次止水材に押し込み嵌め合わせるだけで２つの止水材を一体とすることができ、容易に組み立て作業を行うことができる。
【００１５】
本発明の第３の壁目地の防水構造によると、一対の返し片の先端同士の距離は、第２突出部の窪みの位置の幅とほぼ同一に形成されるので、一対の嵌着部の間に２次止水材を押し込むと、窪みに返し片が係止して２次止水材が保持クリップから外れることを防止できる。したがって、２次止水材を保持クリップに押し込むだけで２つの部材を一体とすることができ、容易に組み立て作業を行うことができる。
【００１６】
本発明の第４の壁目地の防水構造によると、第２突出部は、ヒレ部よりも高い剛性を有するので、ヒレ部と同じ材質を使用したときよりも、１次止水材と２次止水材との嵌め合わせを強化することができる。したがって、１次止水材が２次止水材から抜けにくくなり安定した壁目地の防水構造を構築することができる。
【００１７】
本発明の第５の壁目地の防水構造によると、蓋部は、幅方向の両端部を壁内方向へ向けて斜めに屈曲し、ヒレ部は、先端部を壁内方向へ向けて斜めに屈曲しているので、壁パネルと各止水材との間に隙間を形成することがなく、壁内部への水の浸入を防止することができる。
【図面の簡単な説明】
【００１８】
【図１】壁目地の防水構造を示す断面図。
【図２】１次止水材及び２次止水材を示す一部省略斜視図。
【図３】保持クリップを示す斜視図。
【図４】保持クリップを示す平面図。
【図５】１次止水材・２次止水材を示す断面図及び図４の保持クリップのＡ−Ａ断面図。
【図６】１次止水材、２次止水材、及び保持クリップを一体化した様子を示す断面図。
【図７】各止水材と一体化した保持クリップを目地へ圧入する前の様子を示す断面図。
【図８】各止水材と一体化した保持クリップを目地へ圧入する様子を示す断面図。
【図９】各止水材と保持クリップを厚さの異なる２枚の壁パネルの間に形成された目地へ圧入した様子を示す断面図。
【発明を実施するための形態】
【００１９】
以下、壁目地の防水構造の最良実施形態について各図を参照しつつ説明する。本願の壁目地の防水構造は、主に外壁である壁パネル間に形成される縦目地に使用されるが、壁パネル同士の目地であれば屋内外問わず使用することができる。ここでは、壁パネルが外壁である場合について説明を行う。また、本願において「壁内」とは、壁パネルを支持する躯体が位置する壁内部の空間のことを指す。
【００２０】
図１に示すように、壁目地の防水構造１は、互いに隣接する壁パネル２の間に形成された目地３を閉塞する構造であって、目地の幅Ｗ１よりも幅広に形成されて隣接する壁パネル２の化粧面２１に跨る蓋部４ａを有する１次止水材４と、蓋部４ａの壁内側の面から壁内方向へ延びる第１突出部４ｂに嵌合し、幅方向の両端部にヒレ状のヒレ部５ａを形成して目地３の内部に圧入される２次止水材５と、ヒレ部５ａの基端から壁内方向へ延びる第２突出部５ｂに外嵌する一対の嵌着部６ａ、及び壁パネル２の小口面２ａに弾性的に係止する一対の係止部６ｂとを有する保持クリップ６と、を備える。
【００２１】
図１に示す壁パネル２は、外壁材の一例を示すものである。壁パネル２は、外部に面する平板状の部材で、壁内側の面の端部には、溝を壁パネル２の側方向へ開く溝形鋼で形成されたフーレム材２２が固定されている。なお、壁パネル２は、図１の形に限定されることはなく、押出成形セメント板や軽量気泡コンクリートのように厚みのある壁部材であってもよい。互いに隣接する壁パネル２は、同一平面となるように配置され、互いに水平方向へ間隔を空けて柱や間柱などの躯体７に図示しない従来公知の固定金具で固定される。図示するように、壁パネル２同士の間には目地３が形成され、この目地の幅Ｗ１は、壁パネル２の種類や形状に応じた所定の幅で形成される。
【００２２】
図１及び図２に示すように、１次止水材４は目地３の長手方向へ延びる長尺な部材で、略平板状に形成され、隣接する壁パネル２の化粧面２１に跨る蓋部４ａと、蓋部４ａの壁内側の面の幅方向略中央から壁内方向へ延びる第１突出部４ｂと、によって構成される断面視略Ｔ字形の部材である。第１突出部４ｂは、目地３の幅方向の両側面に一対の第１突起４１を設けており、また、蓋部４ａは、幅方向の両端部を壁内方向へ向けて斜めに若干屈曲している。そして蓋部の幅である第１幅Ｗ２は、目地の幅Ｗ１よりも幅広に形成される。なお、図示例では、第１突起４１を２箇所設けているが、その数は１箇所以上であれば特に限定されない。
【００２３】
図１に示すように、１次止水材４は目地３に設置した際に、直接外気に触れる部材である。その材質は、耐候性及び耐久性に優れたものであれば特に限定されないが、本実施例のように外壁に使用する場合は、上述の機能を有するとともに壁パネル２と共通の塗装を施しやすい金属材料、例えば、アルミ形材が好適である。なお、１次止水材４を金属材料のように硬質な材料とした場合は、壁パネル２の化粧面２１を凹凸の無いものとした方が安定した防水性能を保持することができる。
【００２４】
図１及び図２に示すように、２次止水材５は目地３の長手方向へ延びる長尺な部材で、幅方向の両端部にそれぞれ形成された長尺なヒレ状のヒレ部５ａと、ヒレ部５ａの幅方向の基端から壁内方向へ突出し、１次止水材４の第１突出部４ｂに嵌合する断面視略Ｕ字形の第２突出部５ｂと、によって構成される。また、２つのヒレ部５ａの先端同士の幅である第２幅Ｗ３は、目地の幅Ｗ１よりも幅広に形成されている。
【００２５】
第２突出部５ｂは、目地３の長手方向へ延びる長尺な部材で、蓋部４ａ側の面から壁内方向へ延びる溝５１を形成している。この溝５１には、内側面から突出して互いに対向し、１次止水材４の一対の第１突起４１に係止する一対の第２突起５２が設けられている。図５に示すように、この一対の第２突起５２の先端同士の距離である第３幅Ｗ３ａは、一対の第１突起４１の先端同士の距離である第４幅Ｗ２ａ以下に形成される。なお、図示例では、一対の第２突起５２が一対の第１突起４１と同数設けられているが、一対の第２突起５２の数を一対の第１突起４１よりも多く設置してもよい。また、第２突出部５ｂの両外側面には、保持クリップ６の嵌着部６ａに外嵌される一対の窪み５３が形成されている。ヒレ部５ａは、幅方向の基端から先端に向けてその厚さを若干薄く形成しており、また、その先端部は壁内方向へ斜めに若干屈曲している。
【００２６】
２次止水材５は、弾性及び水密性を有する樹脂によって形成される。より具体的には、第２突出部５ｂの材質は、１次止水材４の第１突出部４ｂ及び保持クリップ６の嵌着部６ａと嵌合可能な程度の剛性を有する、特に熱硬化性の硬質樹脂や熱可塑性の硬質樹脂が好適である。また、ヒレ部５ａの材質は、熱硬化性樹脂系エラストマや熱可塑性樹脂系エラストマで形成された軟質樹脂が好適である。このように、第２突出部５ｂの材質をヒレ部５ａよりも高剛性とすることにより、第２突出部５ｂがヒレ部５ａよりも先に磨耗して１次止水材４及び保持クリップ６から脱落するという事態が防ぐことができ、安定した壁目地の防水構造１を構築することができる。なお、第２突出部５ｂ及びヒレ部５ａは、上述の機能を満たしていれば全く同様の材質としてもよい。
【００２７】
図３及び図４に表れるように、保持クリップ６は１枚の金属板の両端部を折曲して形成した金具である。保持クリップ６は、図１に示すように、２次止水材５の第２突出部５ｂに外嵌する一対の嵌着部６ａと、壁パネル２の小口面２ａに弾性的に係止する一対の係止部６ｂと、嵌着部６ａ及び係止部６ｂの基端を共通して壁内方向へ突出する溝状の基端部６ｃと、を有する。
【００２８】
一対の嵌着部６ａは、図３及び図４に示すように、係止部６ｂの長手方向における両側に一対ずつ形成されている。一対の嵌着部６ａは、それぞれ基端部６ｃを互いに離反する方向へ折曲した一対の第１板片６１と、第１板片６１の先端を基端部６ｃと反対側の方向へ折曲し、蓋部４ａの方向へ延びて略平行に対向する一対の第２板片６２と、一対の第２板片６２の互いに対向する面から基端部６ｃの方向へ略斜めに突設する一対の返し片６３と、によって構成されている。なお、図５に示すように、一対の返し片６３の先端同士の距離である第５幅Ｗ４ａは、第２突出部５ａの窪み５３の位置の幅である第６幅Ｗ３ｂと略同一に形成されている。
【００２９】
一対の係止部６ｂは、図１及び図３に示すように、基端部６ｃから蓋部４ａの方向へ延びて互いに対向するバネ板状の一対の弾性板６４と、弾性板６４の先端部を折曲して形成され、壁パネル２の小口面２ａに引掛ける一対の引掛片６５と、によって構成されている。一対の弾性板６４は、基端部６ｃから互いに離反する方向へ斜めに突設するとともに、基端と先端の略中間で互いに近接する方向へ斜めに屈曲してバネ板状に形成される。また、この一対の弾性板６４の屈曲部分の幅である第７幅Ｗ４及び一対の引掛片６５の幅である第８幅Ｗ５は、目地の幅Ｗ１よりも広く形成されている。
【００３０】
これらの１次止水材４、２次止水材５、及び保持クリップ６は、図５及び図６に示すように、互いに嵌め合わせることによって一体の部材とすることができる。具体的には、まず、１次止水材４の第１突出部４ｂを２次止水材５の溝５１に押し込んで嵌め合わせる。このとき、先述したように、第３幅Ｗ３ａは、第４幅Ｗ２ａ以下に形成されるので、第２突起５２が抜け止めとなって第１突出部４ｂが溝５１から抜けることを防止できる。
【００３１】
そして、保持クリップ６の一対の嵌着部６ａを２次止水材５の第２突出部５ｂに外側から嵌め込み、返し片６３を窪み５３に係合させ、各部材を一体とする。先述したように、第５幅Ｗ４ａは、第６幅Ｗ３ｂと略同一であるため、返し片６３が抜け止めとなって第２突出部５ｂが嵌着部６ａから抜けることを防止できる。また、図７に示すように、保持クリップ６を２次止水材５に外嵌すると係止部６ｂがヒレ部５ａを押圧するため、ヒレ部５ａは部分的に湾曲する。なお、保持クリップ６は、２次止水材５に少なくとも１以上設置すればよい。
【００３２】
このように２次止水材５に保持クリップ６を外嵌することにより、１次止水材４が２次止水材５から外れようとすると、第１突出部４ｂ及び第２突出部５ｂの嵌合部分だけでなく嵌着部６ａ及び第２突出部５ｂの嵌合部分にも抵抗する力が発生するので、１次止水材４及び２次止水材５の固定強度を向上することができる。したがって、１次止水材４及び２次止水材５の嵌合部分の強度を比較的低く抑えることができ、各止水材４、５同士の組み立て作業を容易に行うことができる。また、各止水材４、５及び保持クリップ６は、工場で予め一体化しておき、工事現場での施工手間を省略してもよい。この場合、各部材は嵌合しているので各止水材４、５が運搬時に長手方向へずれたり、１次止水材４が２次止水材５から外れるという虞がない。
【００３３】
そして、図７及び図８に示すように、各止水材４、５と一体化した保持クリップ６を外部側から目地３に押し込む。このとき、第７幅Ｗ４は、目地の幅Ｗ１よりも広く形成されるので、保持クリップ６の弾性板６４は、壁パネル２の小口面２ａに当接して弾性変形しながら目地３の内部へ圧入されていく。
【００３４】
そして、図１に示すように、各止水材４、５と一体化した保持クリップ６を、１次止水材４の蓋部４ａが壁パネル２の化粧面２１に当接するまで目地３に押し込む。このとき、図２に示す第２幅Ｗ３は、目地の幅Ｗ１よりも幅広に形成されるので、ヒレ部５ａが弾性変形して外壁板の小口面２ａに圧接する。また、保持クリップ６の引掛片６５は、その幅Ｗ５が目地の幅Ｗ１よりも幅広なため壁パネル２の小口面２ａに引掛かって係止し、各止水材４、５が目地３から脱落することを防止する。そして、図２に示す第１幅Ｗ２は、目地の幅Ｗ１よりも幅広に形成しているため、図１に示すように、各止水材４、５と一体化した保持クリップ６を目地３へ押し込んでいくと１次止水材４の蓋部４ａが化粧面２１に跨って目地３を閉塞する。また、蓋部４ａは、幅方向の両端部を壁内方向へ向けて斜めに屈曲し、ヒレ部５ｂは、その先端部を壁内方向へ向けて斜めに屈曲しているので、壁パネル２と各止水材４、５との間に隙間を形成することがなく、壁内部への水の浸入を防止することができる。
【００３５】
なお、ここでは互いに隣り合う２枚の壁パネル２が同じ厚さである場合について説明を行ったが、図９に示すように、互いに異なる厚さの壁パネル２を使用することもできる。この場合、２次止水材５及び保持クリップ６がそれぞれの壁パネル２の小口面２ａの形状に応じて弾性変形することにより、目地３内部への水の浸入を防止することができる。したがって、例えば、建築物の修繕や増改築を行う際、新しい壁パネルと既存の壁パネルのそれぞれの厚さが異なる場合であっても、各止水材４、５及び保持クリップ６を目地３に圧入することによって壁目地の防水構造１を構築することができる。
【００３６】
このように、本願の壁目地の防水構造１は、各止水材４、５を一体で成形せず別体で形成するので、各止水材４、５を従来よりも単純な材質や形状で製造することができ、製造コストを抑制することができる。また、設置される部位に応じて各止水材４、５を好適な材質とすることができるので、例えば、外気や室内環境の影響を受けやすい１次止水材４を耐候性のある材質とし、目地３の内部に圧入される２次止水材５を水密性に優れ、弾性変形し易い材質とすることができる。
【００３７】
なお、一体化した各止水材４、５及び保持クリップ６を分解する際は、上述した手順を逆に行うだけでよい。したがって、２次止水材５に外嵌している保持クリップ６を取り外し、１次止水材４を２次止水材５から引き抜いて各部材を分解することができる。そのため、経年劣化や損傷などによって各止水材４、５や保持クリップ６を取替える際に、各部材を容易に分別することができ、再資源化に繋げることができる。
【００３８】
また、本発明の実施の形態は上述の形態に限ることなく、本発明の思想の範囲を逸脱しない範囲で適宜変更することができることは云うまでもない。
【産業上の利用可能性】
【００３９】
この発明は、互いに隣り合う外壁パネルの間に形成される目地において好適に使用することができる。
【符号の説明】
【００４０】
１      壁目地の防水構造
２      壁パネル
３      目地
４      １次止水材
４ａ    蓋部
４ｂ    第１突出部
４１    第１突起
５      ２次止水材
５ａ    ヒレ部
５ｂ    第２突出部
５１    溝
５２    第２突起
５３    窪み
６      保持クリップ
６ａ    嵌着部
６ｂ    係止部
６２    板片（第２板片）
６３    返し片
Ｗ１    目地の幅
Ｗ２ａ  第４幅（一対の第１突起の先端同士の距離）
Ｗ３ａ  第３幅（一対の第２突起の先端同士の距離）
Ｗ３ｂ  第６幅（第２突出部の窪みの位置の幅）
Ｗ４ａ  第５幅（一対の返し片の先端同士の距離）
【図１】
2019082088.tif 000003
【図２】
2019082088.tif 000004
【図３】
2019082088.tif 000005
【図４】
2019082088.tif 000006
【図５】
2019082088.tif 000007
【図６】
2019082088.tif 000008
【図７】
2019082088.tif 000009
【図８】
2019082088.tif 000010
【図９】
2019082088.tif 000011